(57)【特許請求の範囲】
【請求項１】
記録媒体からビデオ信号を再生する映像再生手段と、上記記録媒体の位置を示す記録媒体位置信号を発生する記録媒体位置信号発生手段と、上記記録媒体を駆動させる記録媒体駆動手段と、上記記録媒体位置信号及び上記記録媒体駆動手段に供給する記録媒体駆動制御信号を通信するビデオ再生装置側通信手段とを備えるビデオ再生装置の該ビデオ再生装置側通信手段と通信を行うビデオプリンタ側通信手段と、
ビデオプリンタ側の操作部の操作入力に従って上記記録媒体駆動制御信号を発生する記録媒体駆動制御信号発生手段と、
上記記録媒体駆動制御信号発生手段による上記記録媒体駆動制御信号に従って上記記録媒体位置信号発生手段からの記録媒体スタート位置信号及び記録媒体エンド位置信号を記憶すると共に、該記録媒体スタート位置信号及び該記録媒体エンド位置信号間の長さを複数等分して、その分割位置の位置信号を得て記憶する記録媒体位置信号記憶・分割位置決定手段と、
該記録媒体位置信号記憶・分割位置決定記憶手段の記憶内容に基づいて、上記記録媒体スタート位置信号及び上記分割位置の位置信号が得られたことを検出する位置信号検出手段と、
該位置信号検出手段によって上記記録媒体スタート位置信号及び上記分割位置の位置信号が得られたことが検出されたときに、上記映像再生手段からの再生ビデオ信号の単位ビデオ信号を縮小信号処理すると共に、複数の縮小画像が１枚のプリント媒体上に並べてプリントされるように信号処理するビデオ信号処理手段とを有することを特徴とするビデオプリンタ。
【請求項２】
請求項１に記載のビデオプリンタにおいて、
上記ビデオ信号再生装置は、ビデオテープ再生装置であることを特徴とするビデオプリンタ。
【発明の詳細な説明】
【０００１】
【産業上の利用分野】
本発明は、ビデオプリンタ、特に、ＶＴＲ（ビデオテープレコーダ）｛ＶＣＲ（ビデオカセットレコーダ｝等のビデオ再生装置と電気的に接続して使用し得るビデオプリンタに関する。
【０００２】
【従来の技術】
従来、ビデオ信号の単位ビデオ信号を一定間隔でメモリに取り込んで、その画像を印画紙にプリントするようにした連写機能を有するビデオプリンタがある。
【０００３】
【発明が解決しようとする課題】
かかる従来のビデオプリンタを使用し、連写間隔を調整して、磁気テープのスタート位置とエンド位置付近の単位ビデオ信号を抽出して、印画紙上にプリントすることはできるが、磁気テープの長さの如何に拘らず、磁気テープ上のスタート位置及びエンド位置間の複数等分された分割位置の単位ビデオ信号をも確実に抽出して印画紙上にプリントオウトすることは困難である。
【０００４】
かかる点に鑑み、本発明は、記録媒体の長さの如何に拘らず、その記録媒体に記録されたビデオ信号の概括的な画像内容を容易に把握することのできるビデオプリンタを提案しようとするものでる。
【０００５】
【課題を解決するための手段】
本発明は、記録媒体からビデオ信号を再生する映像再生手段と、記録媒体の位置を示す記録媒体位置信号を発生する記録媒体位置信号発生手段と、記録媒体を駆動させる記録媒体駆動手段と、記録媒体位置信号及び記録媒体駆動手段に供給する記録媒体駆動制御信号を通信するビデオ再生装置側通信手段とを備えるビデオ再生装置のそのビデオ再生装置側通信手段と通信を行うビデオプリンタ側通信手段と、ビデオプリンタ側の操作部の操作入力に従って記録媒体駆動制御信号を発生する記録媒体駆動制御信号発生手段と、記録媒体駆動制御信号発生手段による記録媒体駆動制御信号に従って記録媒体位置信号発生手段からの記録媒体スタート位置信号及び記録媒体エンド位置信号を記憶すると共に、その記録媒体スタート位置信号及び記録媒体エンド位置信号間の長さを複数等分して、その分割位置の位置信号を得て記憶する記録媒体位置信号記憶・分割位置決定手段と、その記録媒体位置信号記憶・分割位置決定記憶手段の記憶内容に基づいて、記録媒体スタート位置信号及び分割位置の位置信号が得られたことを検出する位置信号検出手段と、その位置信号検出手段によって記録媒体スタート位置信号及び分割位置の位置信号が得られたことが検出されたときに、映像再生手段からの再生ビデオ信号の単位ビデオ信号を縮小信号処理すると共に、複数の縮小画像が１枚のプリント媒体上に並べてプリントされるように信号処理するビデオ信号処理手段とを有することを特徴とするビデオプリンタである。
【０００６】
【作用】
かかる本発明によれば、プリント手段によって、１枚のプリント媒体上に、記録媒体に記録されているビデオ信号の複数の縮小画像が並べてプリントされる。
【０００７】
【実施例】
以下に、図面を参照して、本発明の実施例を詳細に説明する。先ず、図１を参照して、実施例のビデオプリンタ及びこれと接続されるＶＴＲの構成を説明する。１はビデオプリンタ、１６はこのビデオプリンタ１に接続されるビデオ再生装置としてのビデオカメラ一体型ＶＴＲ（ＶＣＲ）である。
【０００８】
先ず、ビデオプリンタ１の構成について説明する。入力端子２から、又は、コネクタ１５ａを通じてＶＴＲ１６より得られるの１フレーム分又は１フィールド分の、即ち、単位のカラービデオ信号（モノクロームビデオ信号も可）が、Ａ／Ｄ変換器３に供給されてデジタル化された後、ＲＧＢ（赤、緑及び青信号）デコーダ（輝度／赤色差／青色差信号デコーダも可）に供給されて、デジタル赤、緑及び青信号に変換された後、フレームメモリ（１フレーム分のビデオ信号を記憶する容量の他に余分な記憶容量を有する）５に供給されて記憶される。
【０００９】
６はフレームメモリをを制御するＣＰＵを備えたメモリコントローラで、フレームメモリ５に記憶されているデジタル原色信号を縮小信号処理（間引き信号処理）すると共に、縮小信号処理されたデジタル原色信号（デジタル赤、緑及び青信号）を、４×４個のマルチ縮小画像として印画紙に印刷されるように、信号処理してフレームメモリ５に記憶し直す。
【００１０】
このフレームメモリ５から読みだされた信号処理されたデジタル赤、緑及び青信号は、ＹＭＣ変換器７に供給されて、アナログイエロー、マゼンタ及びシアン信号に変換された後、プリント手段としてのラインヘッド８に供給される。
【００１１】
１１はモードコントローラでＣＰＵを有し、メモリコントローラ６を制御すると共に、ヘッド（固定ヘッド）８に対し、印画紙を移送するメカデッキ９を、その制御部１０を介して制御する。１２はモードコントローラ１１にモード選択信号を供給する制御部で、フレームメモリ５に対するビデオ信号の取り込み、印画紙にプリントされる画像の通常画像、縮小回転画像、マルチ配列縮小画像等の選択等、ＶＴＲの再生（ＰＢ）、停止（ＳＴＯＰ）、一時停止（ＰＡＵＳＥ）：早送り（ＦＦ）、早送り再生（ＣＵＥ）：巻戻し（ＲＥＷ）、巻戻し再生（ＲＥＶＩＥＷ）等のモード選択等行うキー、ダイアル、ボタン等の多数の操作子を備えている。
【００１２】
１４はビデオプリンタ側の通信器であって、通信インターフェース（Ｉ／Ｆ）１３を介して、モードコントローラ１１に接続されている。この通信器１４は、プリンタ側のコネクタ１５ａ及びこれと結合されるＶＴＲ側のコネクタ１５ｂを通じて、ＶＴＲ１６側の通信器１７に接続されている。これら通信器１４、１７はコネクタ１５ａ、１５ｂを介してデータ通信を行う。又、このコネクタ１５ａ、１５ｂを通じて、ＶＴＲ１６の映像再生器２２からの再生ビデオ信号がビデオプリンタ１のＡ／Ｄ変換器３に伝送される。
【００１３】
コネクタ１５ａ、１５ｂは、それぞれプリンタ１及びＶＴＲ１６の各ケースに取付けられていて、これらコネクタ１５ａ、１５ｂの結合によって、プリンタ１のケース上にＶＴＲ１６のケースが載置される如く一体化し得る。尚、各コネクタ１５ａ、１５ｂと、ビデオプリンタ１及びＶＴＲ１６がそれぞれリード線を通じて接続されるようにしても良い。
【００１４】
次にＶＴＲ１６の構成を説明する。１９はＶＴＲ１６の各部を制御するシステムコントローラで、ＣＰＵを備えている。２１はテープ走行駆動手段（キャプスタン及びピンチ並びに回転磁気ヘッドを備えるテープ案内ドラム、これらをそれぞれ駆動するモータ、カセットテープの供給側リール及び巻取り側リールをそれぞれ駆動するモータ等から構成される）、２２は映像再生器（再生用回転磁気ヘッド及び映像再生回路から構成される）、２０はテープ位置検出器（テープ位置に応じた時間／分／秒の信号を発生するテープカウンタ、又は、テープに記録されているタイムコードを読みだすタイムコード読み出し手段）、２３は映像記録器（記録用回転磁気ヘッド及び映像記録回路から構成される）で、これらはシステムコントローラ１９によって制御されると共に、一部の機器からの信号がシステムコントローラ１９に供給される。
【００１５】
映像再生器２２からの再生ビデオ信号は、コネクタ１５ｂに供給されて、コネクタ１５ａ、１５ｂを通じて、ビデオプリンタ１のＡ／Ｄ変換器３に供給される。テープ位置信号発生器２０からのテープ位置信号（テープ位置アドレス信号）が、通信インターフェース１８、通信器１７、コネクタ１５ｂ、１５ａ、通信器１４及び通信インターフェース１３を通じて、モードコントローラ１１のテープ位置信号記憶・分割位置決定記憶手段１１ｂ及びテープ位置信号検出手段１１ｃ（図２参照）に供給される。又、モードコントローラ１１のテープ走行駆動制御信号発生手段１１ａ（図２参照）からのテープ走行駆動制御信号が、通信インターフェース１３、通信器１４、コネクタ１５ａ、１５ｂ、通信器１７、通信インターフェース１８及びシステムコントローラ１９を通じて、テープ走行制御装置２１に供給されて、テープ走行モードが制御される。尚、モードコントローラ１１の手段１１ａ、１１ｂ、１１ｃは、モードコントローラ１１のＣＰＵの機能の一部を示す。
【００１６】
次に、図１及び図２と共に、図３のフローチャート及び図４の動作説明図を参照して、この実施例のビデオプリンタの動作を説明する。ＶＴＲ１６にはビデオ信号の記録されたカセットテープ（図示せず）が、カセット収納部に装填されているものとする。尚、このカセットテープのテープ走行駆動手段２１による通常走行再生（ＦＲＤ）、早送り（ＦＦ）、巻戻し（ＲＥＷ）、早送り再生（ＣＵＥ）、巻戻し再生（ＲＥＶＩＥＷ）、停止（ＳＴＯＰ）、一時停止（ＰＡＵＳＥ）等は、ＶＴＲ１６の本体側の操作子又は遠隔制御器の操作子（図示を省略）によって操作できると共に、上述したようにプリンタ１側の操作部１２の操作子の操作によっても制御し得るようになれている。
【００１７】
次に、操作部１２の操作によるマルチ配列縮小画像モード（オートメモリモード）を選択する。このときＶＴＲ１６のカセット収納部に収納されているカセットテープは任意のテープ位置で停止状態にあるものとする。そのときにテープ位置信号発生器２０から得られるカセットテープの位置アドレス（テープ位置信号）をスタート位置Ｓのアドレス（テープスタート位置信号）として、モードコントローラ１１に供給して、モードコントローラ１１のテープ位置信号記憶・分割位置決定手段１１ｂに記憶させる（ステップＳＴ−１）。
【００１８】
モードコントローラ１１のテープ走行駆動制御信号発生手段１１ａから、テープ走行駆動装置２１に対する早送り制御信号を自動的に発生させて、カセットテープを早送りさせる｛ステップＳＴ−２、図（Ａ／Ｄ変換器）｝。そして、カセットテープがその終端近くまで巻取り状態となったとき、ＶＴＲ１６のシステムコントローラ１９によるテープ走行駆動装置２１に対する制御によって、カセットテープの走行を停止させる（ステップＳＴ−４）。この場合、カセットテープがその終端近くまで巻取り状態となったことが、システムコントローラ１９からモードコントローラ１１に供給され、これによってモードコントローラ１１のテープ走行駆動制御信号発生手段１１ａから、テープ走行駆動装置２１に対する停止制御信号を自動的に発生させて、カセットテープを停止状態にしても良い。そして、そのときにテープ位置信号発生器２０から得られるカセットテープの位置アドレス（テープ位置信号）をエンド位置Ｅのアドレス（テープエンド位置信号）として、モードコントローラ１１のテープ位置信号記憶・分割位置決定手段１１ｂに記憶させる（ステップＳＴ−５）。
【００１９】
しかる後、モードコントローラ１１のテープ走行駆動制御信号発生手段１１ａから、テープ走行駆動装置２１に対する巻戻し制御信号を自動的に発生させて、カセットテープを巻戻し状態にする｛ステップＳＴ−６、図４（尾））。そして、カセットテープがその始端近くまで巻戻し状態となったら、ＶＴＲ１６のシステムコントローラ１９によるテープ走行駆動装置２１に対する制御によって、カセットテープの走行を停止させる（ステップＳＴ−８）。この場合、カセットテープがその終端近くまで巻取り状態となったことが、システムコントローラ１９からモードコントローラ１１に供給され、これによってモードコントローラ１１のテープ走行駆動制御信号発生手段１１ａから、テープ走行駆動装置２１に対する停止制御信号を自動的に発生させて、カセットテープを停止状態にしても良い。
【００２０】
次に、モードコントローラ１１のテープ位置信号記憶・分割位置決定記憶手段１１ｂによって、そこに記憶されているスタート位置アドレス及びエンド位置アドレス間の長さ又は定常走行時の時間を複数Ｍ等分して、Ｍ−１個の分割位置Ｓ１〜Ｓ１５（図４）の位置アドレスを決定（算出）して記憶する（ステップＳＴ−９）。ここで、Ｍは例えば、１６である。次に、モードコントローラ１１のテープ走行駆動制御信号発生手段１１ａから、テープ走行駆動装置２１に対する早送り制御信号を自動的に発生させて、カセットテープを早送り状態（ＦＦ又はＣＵＥ状態）にする｛ステップＳＴ−１０、図４（Ｃ））。
【００２１】
モードコントローラ１１のテープ位置信号記憶・分割位置決定記憶手段１１ｂに記憶されているスタート位置アドレス及び分割位置アドレスを基にして、ＶＴＲ１６のテープ位置信号発生器２０よりのテープ位置アドレス（テープ位置信号）が、スタート位置アドレス及び分割位置アドレスの直前のアドレス（数秒前）であるか否かを判断し（ステップＳＴ−１１）、ＹＥＳであれば、テープ走行駆動制御信号発生手段１１ａから、テープ走行駆動装置２１に対する再生走行制御信号を自動的に発生させて、カセットテープを再生状態にし｛ステップＳＴ−１２、図４（Ｃ）｝、テープ位置信号検出手段１１ｃによって、ＶＴＲ１６のテープ位置信号発生器２０よりのテープ位置アドレス（テープ位置信号）が、スタート位置アドレス又は分割位置アドレスであるか否かを判断し、ＹＥＳであれば、メモリコントローラ６の制御によって、そのスタート位置アドレス又は分割位置アドレスのカセットテープのビデオ信号の１フレーム分又は１フィールド分をフレームメモリ５に取り込んで記憶させ｛図４（データ）｝、１／１６に縮小信号処理する（ステップＳＴ−１４）。
【００２２】
そして、Ｍ−１番目、即ち、１５番目の分割位置アドレスのカセットテープのビデオ信号の１フレーム分又は１フィールド分をフレームメモリ５に取り込んで記憶させ、１／１６に縮小信号処理する信号処理が済んだか否かを、モードコントローラ１１の判断手段（図示せず）によって判断し、ＮＯであれば、ステップＳＴ−１０〜ステップＳＴ−１４の一連の動作を繰替えさせ、ＹＥＳであれば、図５に示すように、Ｍ個、即ち、１６個の縮小画像が４×４のマトリクス状に並べられてプリントされるように、メモリコントローラ６によって、フレームメモリ５の記憶ビデオ信号の配列処理及び記憶し直し処理が行われて、その記憶内容が読み出されてラインヘッド８に供給されて、４×５個のイエロー、ゼンタ、シアンの混色プリントからなるマルチ縮小画像２６が印画紙２５上にプリントされる（ステップＳＴ−１６、図５）。この場合、カセットテープのスタート位置又は分割位置に偶々ビデオ信号が  記録されていない場合は、それに想到縮小画像はプリントされない。
【００２３】
上述の実施例では、ビデオ再生装置がビデオテープ再生装置としてのＶＴＲである場合の実施例を述べたが、ビデオ再生装置は磁気ディスク再生装置、光ディスク再生装置、光磁気ディスク再生装置等であっても良い。ビデオ再生装置がディスク再生装置である場合、記録媒体駆動手段はスピンドルモータである。
【００２４】
上述せる本発明のビデオプリンタによれば、記録媒体からビデオ信号を再生する映像再生手段と、記録媒体の位置を示す記録媒体位置信号を発生する記録媒体位置信号発生手段と、記録媒体を駆動させる記録媒体駆動手段と、記録媒体位置信号及び記録媒体駆動手段に供給する記録媒体駆動制御信号を通信するビデオ再生装置側通信手段とを備えるビデオ再生装置のそのビデオ再生装置側通信手段と通信を行うビデオプリンタ側通信手段と、ビデオプリンタ側の操作部の操作入力に従って記録媒体駆動制御信号を発生する記録媒体駆動制御信号発生手段と、記録媒体駆動制御信号発生手段による記録媒体駆動制御信号に従って記録媒体位置信号発生手段からの記録媒体スタート位置信号及び記録媒体エンド位置信号を記憶すると共に、その記録媒体スタート位置信号及び記録媒体エンド位置信号間の長さを複数等分して、その分割位置の位置信号を得て記憶する記録媒体位置信号記憶・分割位置決定手段と、その記録媒体位置信号記憶・分割位置決定記憶手段の記憶内容に基づいて、記録媒体スタート位置信号及び分割位置の位置信号が得られたことを検出する位置信号検出手段と、その位置信号検出手段によって記録媒体スタート位置信号及び分割位置の位置信号が得られたことが検出されたときに、映像再生手段からの再生ビデオ信号の単位ビデオ信号を縮小信号処理すると共に、複数の縮小画像が１枚のプリント媒体上に並べてプリントされるように信号処理するビデオ信号処理手段とを有するので、記録媒体の長さの如何に拘らず、その記録媒体に記録されたビデオ信号の概括的な画像内容を容易に把握することのできるビデオプリンタを得ることができる。
【００２５】
又、本発明のビデオプリンタによれば、ビデオ再生装置との間で通信を行って、ビデオ再生装置側からビデオプリンタ側に記録媒体の位置信号を供給すると共に、ビデオプリンタ側からビデオ再生装置側に記録媒体駆動制御信号を供給するので、ビデオ再生装置をプリンタ側から容易に制御することができる。
【図面の簡単な説明】
【図１】本発明の実施例の構成を示すブロック線図である。
【図２】その実施例の一部を示すブロック線図である。
【図３】実施例の動作及びメモリコントローラ及びモードコントローラの機能を表すフローチャートである。
【図４】実施例の動作説明を示す線図である。
【図５】プリントされた画像を示す線図である。
【符号の説明】
１  ビデオプリンタ
５  フレームメモリ
６  メモリコントローラ
８  ヘッド
９  メカデッキ
１１  モードコントローラ
１２  操作部
１３  通信インターフェース
１４  通信器
１５ａ  コネクタ
１５ｂ  コネクタ
１６  ＶＴＲ
１７  通信器
１８  通信インターフェース
１９  システムコントローラ
２０  テープ位置信号発生器
２１  テープ走行駆動装置
２２  映像再生器
２３  映像記録器
【図１】
0003593733.tif 000002
【図２】
0003593733.tif 000003
【図３】
0003593733.tif 000004
【図４】
0003593733.tif 000005
【図５】
0003593733.tif 000006